(57)【要約】【課題】  物品収納容器の止め具をシンクの上面やカウンター面から一掃し、シンク周りの掃除を容易化できるようにすると共に、止め具の箇所からの水漏れの心配を解消する。【解決手段】  シンク１の後側の内壁１ａに、平面視で後方に円弧状に湾曲する膨出部２を形成する。この膨出部２の湾曲状の内側面に沿って物品収納容器３を、膨出部２に配置する。またシンク１の後側のカウンター面５に、水止め用のバックガード４を立ち上げる。上記の膨出部２の左右方向の中央に対応するバックガード４の前面４ａの位置に、物品収納容器３の止め具８を、カウンター面５から離して設ける。この止め具８に、物品収納容器３を装着して膨出部２に配置する。【選択図】      図１
2006346214.tif 000002
【特許請求の範囲】
【請求項１】
シンクの後側の内壁に平面視で後方に円弧状に湾曲する膨出部が形成され、この膨出部の湾曲状の内側面に沿って物品収納容器が膨出部に配置され、またシンクの後側のカウンター面に水止め用のバックガードが立ち上げられている流し台であって、上記の膨出部の左右方向の中央に対応するバックガードの前面の位置に、物品収納容器の止め具がカウンター面から離されて設けられ、この止め具に物品収納容器が装着されて膨出部に配置されていることを特徴とする流し台。
【請求項２】
請求項１記載の流し台であって、物品収納容器が、バックガードの前側に起立状に配置される物品収納部を備えて形成されていることを特徴とする流し台。
【請求項３】
請求項２記載の流し台であって、物品収納部が、前側の起立部と後側の起立部とで物品収納スペースが板状の空間に形成されると共に、前側の起立部が後側の起立部より低く形成されていることを特徴とする流し台。
【請求項４】
請求項１乃至３の何れかに記載の流し台であって、物品収納容器の開口状の上面が、前方に向かって下り傾斜状に形成されていることを特徴とする流し台。
【請求項５】
請求項４記載の流し台であって、シンクの後側の上面が前方に向かって下り傾斜状に形成され、物品収納容器の開口状の上面が、シンクの後側の上面の勾配に合わされて下り傾斜状に形成されていることを特徴とする流し台。
【発明の詳細な説明】
【技術分野】
【０００１】
本発明は流し台に関し、更に詳しくは例えば洗剤や、たわし、スポンジ等の物品を収納するための物品収納容器を備えて形成されている流し台に関するものである。
【背景技術】
【０００２】
従来この種の流し台としては、例えばシンクの後側の内壁に平面視で後方に円弧状に湾曲する膨出部が形成され、この膨出部の湾曲状の内側面に沿って物品収納容器が膨出部に配置され、またシンクの後側のカウンター面に水止め用のバックガードが立ち上げられているものがある（例えば特許文献１参照）。
【０００３】
ところでこの種のシンクは、洗剤等を出し入れする際、物品収納容器の周りに、汚水や洗剤液等が飛散し易いから、物品収納容器の周りを掃除し易くなるよう形成されているのが望ましい。
しかるに従来品は、物品収納容器を、シンクの後側の上面に複数のピン等で固定して膨出部に配置しているのが通例であった。従って従来品によると、ピンが支障になって、シンクの上面やカウンター面（ワークトップ）の掃除がし難くなり、またこの種のピンの箇所の防水処理に手間暇がかかる、という問題点があった。
【特許文献１】特開平１１−２２５８９５号公報
【発明の開示】
【発明が解決しようとする課題】
【０００４】
本発明は、このような従来技術の問題点に鑑み、提案されたものである。
従って本発明の解決しようとする技術的課題は、物品収納容器の止め具をシンクの上面やカウンター面から一掃し、シンク周りの掃除を容易化できるようにすると共に、止め具の箇所からの水漏れの心配を解消できるよう形成した流し台を提供することにある。
【課題を解決するための手段】
【０００５】
本発明は、上記の課題を解決するため、次のような技術的手段を採る。
即ち本発明は、図１等に示されるように、シンク１の後側の内壁１ａに平面視で後方に円弧状に湾曲する膨出部２が形成され、この膨出部２の湾曲状の内側面に沿って物品収納容器３が膨出部２に配置され、またシンク１の後側のカウンター面５に水止め用のバックガード４が立ち上げられている流し台であって、上記の膨出部２の左右方向の中央に対応するバックガード４の前面４ａの位置に、物品収納容器３の止め具８がカウンター面５から離されて設けられ、この止め具８に物品収納容器３が装着されて膨出部２に配置されていることを特徴とする（請求項１）。
【０００６】
ここで、膨出部２の湾曲状の内側面に沿って物品収納容器３が膨出部２に配置され、とは、物品収納容器３が膨出部２にフィットした状態で配置される、ということを意味し、具体的には膨出部２の内側面に対応する物品収納容器３の外側面が、膨出部２の内側面の湾曲形態に合わされて形成されることにより実現される。これにより、本発明では物品収納容器３を膨出部２にガタツキなく配置できる。本発明の場合、膨出部２の形成位置は、シンク１の後側の内壁１ａの中央には限られない。また物品収納容器３は、水切れが良くなるよう、また軽量化できるよう、例えば金属の線材でかご状に形成されるのが好ましいが、これに限定されるものではない。
【０００７】
また本発明は、物品収納容器３が、バックガード４の前側に起立状に配置される物品収納部６を備えて形成されているのが好ましい（請求項２）。
なぜならこれによると、物品収納部６によって収納量が増加し、物品収納容器３に洗剤等を収納し、物品収納部６にまな板７（図６参照）等の調理器具を区分け収納でき、使い勝手が良くなるからである。この場合、物品収納部６は、物品収納容器３と同じ材料で一体状に形成され、全体として統一した美感を醸し出すよう、デザインが合わされて形成されるのが好ましい。
【０００８】
またこの場合、本発明は、物品収納部６が、前側の起立部６ａと後側の起立部６ｂとで物品収納スペースＳが板状の空間に形成されると共に、前側の起立部６ａが後側の起立部６ｂより低く形成されているのが好ましい（請求項３）。
なぜならこれによると、物品収納スペースＳに、まな板７等を水切りが良くなるよう立て掛けて収納でき、また前側の起立部６ａが低いため、まな板７等の出し入れ操作を容易にできるからである。
【０００９】
また請求項１乃至３の何れかに記載の本発明は、物品収納容器３の開口状の上面３ａが、前方に向かって下り傾斜状に形成されているのが好ましい（請求項４）。
なぜならこれによると、洗剤等の収納品を、物品収納容器３の前側の縁にぶつけることなく、楽に、且つ容易に出し入れできるからである。
【００１０】
而してこの場合、本発明は、シンク１の後側の上面１ｂが前方に向かって下り傾斜状に形成され、物品収納容器３の開口状の上面３ａが、シンク１の後側の上面１ｂの勾配に合わされて下り傾斜状に形成されているのが好ましい（請求項５）。
なぜならこれによると、シンク１の後側の上面１ｂの水切りが良くなるだけではなく、シンク１の後側の上面１ｂと物品収納容器３の上面３ａとがデザイン的に統一し、整然とした印象の流し台を提供できるからである。
【発明の効果】
【００１１】
本発明の流し台は、このようにシンクの膨出部の左右方向の中央に対応するバックガードの前面の位置に、物品収納容器の止め具がカウンター面から離されて設けられ、この止め具に物品収納容器が装着されて膨出部に配置されているものである。
従って本発明の場合は、シンクの上面等を掃除する際に止め具が邪魔にならないから、これによればシンク周りの掃除を容易化でき、また止め具がカウンター面から離されているから、止め具の箇所からの水漏れの心配を一掃できる。
【発明を実施するための最良の形態】
【００１２】
以下、本発明を実施するための最良の形態を説明する。
本発明の流し台は、図１等に示されるように、シンク１の後側の内壁１ａに平面視で後方に円弧状に湾曲する膨出部２が形成されている。シンク１は、この実施形態では図２に示されるように、平面視で略楕円形に形成され、膨出部２は、このシンク１の後側の内壁１ａの中央に形成されている。
【００１３】
３は、膨出部２に配置されている物品収納容器である。この物品収納容器３は、膨出部２の円弧状の内側面に沿って配置されるよう、後側の外側面が平面視で後方に円弧状に湾曲されている。また物品収納容器３の前側は、シンク１の後側の内壁１ａの位置に合わされて配置されるよう、平面視で左右方向に緩いカーブラインを描くよう形成されている。また物品収納容器３の開口状の上面３ａは、前方に向かって下り傾斜状に形成されている。この実施形態に係る本発明は、シンク１の後側の上面１ｂが前方に向かって下り傾斜状に形成され、物品収納容器３の上面３ａの勾配が、シンク１の後側の上面１ｂの勾配に合わされている。４は、水止め用のバックガードである。このバックガード４は、シンク１の後側のカウンター面５から立ち上げられ、左右方向に延びて形成されている。
【００１４】
また物品収納容器３は、バックガード４の前側に起立状に配置される物品収納部６を備えて形成されている。この物品収納部６は、この実施形態では物品収納容器３の真後に設けられ、物品収納容器３と共に、左右対称状に形成されている。また物品収納容器３と物品収納部６とは、共に太い金属線材が屈曲され、接合箇所が例えばろう付けされることにより、同じ金属線材で物品収納容器３はかご状に、物品収納部６は長方形の枠状に形成されている。
【００１５】
上記の物品収納部６は、前側の起立部６ａと後側の起立部６ｂとで、まな板７（図６参照）の収納に適するよう、物品収納スペースＳが板状の空間に形成されている。この場合、前側の起立部６ａは、後側の起立部６ｂより低く形成されている。また前側の起立部６ａと後側の起立部６ｂは、物品収納部６を形作る金属線材と同じ金属線材で、同じ横幅の長方形の枠状に、且つ物品収納スペースＳの左右の側面が開放されて一連状に曲げられて形成されている。そして物品収納部６は、物品収納容器３の上部から後方に延ばされた平行一対状の金属線材３ｂに、ろう付けされている。この平行一対状の金属線材３ｂは、後端がステープラーの綴じ針形に垂直に立ち上げられ、立ち上げ部３ｃに形成されている。この立ち上げ部３ｃの左右方向の中央位置に、物品収納容器３を止め具８に引っ掛けるための係合部３ｄが、上方に凸湾曲状に形成されている。
【００１６】
物品収納容器３を固定するための止め具８は、シンク１の膨出部２の左右方向の中央に対応するバックガード４の前面４ａの位置に、カウンター面５から離されて単数設けられている。止め具８がこのように単数の場合は、構造が簡単になり、製造コストを抑制できる。また、通常、止め具８が単数であれば、物品収納容器３のガタツキが危惧されるが、本発明では物品収納容器３が膨出部２の内側面に沿っているのでその惧れはない。従って本発明の場合、止め具８は、複数よりも単数の方が望ましい。またこの実施形態に係る本発明では止め具８は、バックガード４の前面４ａから突き出された頭部８ａと、ネジ状の脚部８ｂとで形成され、頭部８ａは上記の係合部３ｄが係合可能になるよう、径の縮小された首部８ａ１を有して形成されている。この場合、止め具８の頭部８ａは、まな板７の収納に支障とならないよう、後側の起立部６ｂの垂直面より前方へ突出しないよう位置決めされている。
【００１７】
而して本発明の流し台を使用する場合は、物品収納容器３に、例えば洗剤や、スポンジ等の洗い具を入れ、物品収納部６の物品収納スペースＳに、使用者は、図６に示されるように、例えばまな板７を、上方又は横方向から差し入れて使用する。まな板７は、物品収納部６の前側の起立部６ａと後側の起立部６ｂで縦向きに保持される。この場合、前側の起立部６ａは、上記の通り、後側の起立部６ｂより背が低いため、これによると、まな板７の出し入れを容易にできる。而してシンク１やカウンター面５を掃除する場合は、物品収納容器３を使用者は止め具８から取り外して行なう。この場合、本発明では、止め具８がバックガード４の前面４ａの位置に、カウンター面５から離されて設けられている。従ってこれによると、掃除が容易になり、また止め具８の箇所から水漏れを起こすことがない。特にこの実施形態に係る本発明のように、止め具８が単数の場合は、一層、止め具８の箇所における水漏れの可能性を低減できる。
【００１８】
以上の処において、本発明は、図７、図８に示されるように、物品収納部６に、例えばまな板７を２枚立て掛けて収納できるよう、物品収納スペースＳが前後位置に形成されているのでも良い。この実施形態では、前側の起立部６ａの前に、前側の起立部６ａより低く、且つ横幅が小さい状態で、最前列の起立部６ｃが立ち上げられている。この最前列の起立部６ｃは、前側の起立部６ａ及び後側の起立部６ｂと同じ金属線材を屈曲し、接合箇所をろう付けすることにより形成されている。この本発明の場合は、まな板７の出し入れを容易にできるだけではなく、小さいまな板７を前側の物品収納スペースＳに収納し、大きいまな板７をその後側の物品収納スペースＳに収納できる。従ってこれによると、まな板７の大きさに合わせて物品収納スペースＳを使い分けでき、その結果使い勝手が良くなる、という利点がある。本発明の場合、物品収納部６は、シンク１の上縁とバックガード４との間の距離が許す範囲で、このように物品収納スペースＳを複数備えて形成されるのが良い。
【図面の簡単な説明】
【００１９】
【図１】本発明の流し台の好適な一実施形態を示す要部斜視図である。
【図２】同上流し台の要部平面図である。
【図３】図２のIII−III線における要部断面図である。
【図４】物品収納容器の平面図である。
【図５】物品収納容器の正面図である。
【図６】同上流し台の使用例を説明するための要部断面図である。
【図７】同上流し台の他の実施形態を示す要部側面図である。
【図８】図７のVIII−VIII線における要部断面図である。
【符号の説明】
【００２０】
１      シンク
１ａ    後側の内壁
２      膨出部
３      物品収納容器
４      バックガード
４ａ    前面
５      カウンター面
８      止め具
【図１】
2006346214.tif 000003
【図２】
2006346214.tif 000004
【図３】
2006346214.tif 000005
【図４】
2006346214.tif 000006
【図５】
2006346214.tif 000007
【図６】
2006346214.tif 000008
【図７】
2006346214.tif 000009
【図８】
2006346214.tif 000010